(57)【要約】【課題】冷凍した水や化粧水等を、手に触れずに苦痛や刺激なくかつ衛生的に肌に着け、肌や毛穴の引き締め、血行促進、保湿などの美容効果を得る美容用具を提供すること。【解決手段】スティックの先に使い捨て袋状綿を装着し、水または化粧水等を含ませて冷凍し、そのコットン部分を肌に滑らせる。解けたあともそのままふき取りやパッティングをする。【選択図】    図  １
2005007018.tif 000002
【特許請求の範囲】
【請求項１】
軟質の素材に依り表裏を覆う綿で成る、形状が湾曲面を成す袋状本体内に、容易に離脱しないように、前記湾曲面に相似する湾曲面を有し、冷媒を保持するための空隙部を形成する保持体を先端に設ける手持棒の、前記保持体を着脱自在に挿入して成る美容用具。
【発明の詳細な説明】
【０００１】
【発明の属する技術分野】
本発明は美容用具に関するものである。
【０００２】
【従来の技術】
従来の、常温での化粧水のパッティングでは指の動きによりコットンがすぐに型崩れしたり毛羽立ちし、蒸発も早くまた常温のため引き締め効果も弱かった。また、美容法の一つである洗顔後に冷水を顔につける方法も夏の水道水では温度が高いため効果も弱く、逆に冬場の冷水での洗顔は手にも冷水をつけるため、使用しづらい面もあった。また、氷を手に持ち顔にマッサージするのは氷を持つ手も冷たく、解けた水分がだらだらと流れ、また肌への刺激も強かった。保冷材の場合は必要以上に重さが出たりそのまま肌につけても滑りが悪かった。化粧水を冷蔵庫で冷やしてパッティングする方法もすぐに手の温度で液体が温まってしまい、引き締め効果は弱かった。
【０００３】
【発明が解決しようとする課題】
本発明は上記問題に鑑みなされたものであり、肌や毛穴を冷水や氷で引き締めるという美容法を、手を冷やさずに、手の温度により肌につける化粧水等の温度を上げずに、引き締めたい部分を効果的に、苦痛なく手軽に冷却し、またコットンの消耗を最小限にとどめながら肌を十分に保湿し、氷を直接つけずに肌への刺激をやわらげ、場所をとらず、手軽で衛生的、携帯にも軽量で便利であること等を可能とする美容用具を提供することを課題としている。
【０００４】
【課題を解決するための手段】
表面を滑らかな軟質の素材で覆い、裏面を軟質の素材で覆う綿から成り、湾曲する形状を有する袋状本体内に、容易に逸脱することの無いように前記袋状本体の湾曲する内型に相似する湾曲面を有し、氷等の冷媒を保持するための空隙部を形成する保持体を先端に設ける手持棒の、前記保持体を着脱自在に挿入して固定し、この状態前記袋状本体に水、化粧水等を含ませ冷凍した後に、前記手持棒を手にしながら、前記袋状本体の表面で顔等に於ける肌を滑らせ或いは軽打して使用する美容用具として課題を解決するものである。
【０００５】
【発明の実施の形態】
以下本発明の実施の形態について図面に示す実施例に従って説明する。
図１、２、３は各々、本発明の一つの実施例を示す断面図であり、
軟質の素材で表面１と裏面２を覆う綿３で成る表面が湾曲面を成す袋状本体４内に、前記湾曲面に相似する湾曲面を有し、容易に離脱しないような形状をし、先端部に冷媒を保持するための空隙部５を設ける、表面が湾曲する保持体６を施す手持棒７の前記湾曲する保持体６を着脱自在に挿入して成る美容用具である。表面１は滑らかで毛羽立ちにくい素材、肌の汚れを深部からふき取りやすくするマイクロファイバ−使用の素材、コラ−ゲン、シルク、繭、アロエエキス、ハ−ブエキス、オリ−ブ油などの動植物抽出成分、トルマリン、ゲルマニウム等の鉱物や、炭、マイナスイオンを発生するもの、芳香成分を有するもの、酸や酸性成分を配合したもの等、美肌・リラックス効果があるとされる成分を配合する素材等を使用する事ができる。袋状本体４は大量生産でき安全で安価な吸水性の高い柔らかな素材等を使用し、接着剤不使用の素材が好ましい。裏面２は保持体６を挿入し固定しやすく、保持体６より抜け落ちにくい素材を使用する。袋状本体４は肌にあてた時に肌を傷つけず、肌に優しく、痛みや不快感がない形状をし、使い捨てられるものであれば良い。空隙部５は氷部分の容積を確保し保冷の持続性を高めるものである。保持体６は袋状本体４と相似し一定部分以上が袋状本体４の裏面２に密着して固定するものである。手持棒７は手で持ちやすく、持つ手の熱が伝わりにくく、持つ手の負担をなくする素材・形が望ましい。
【０００６】
美容用具９は箱型の容器もしくは美容用具９の外形に相似するくぼみを有する容器、あるいは袋、シート等に入れて保存、冷凍するのが望ましいが、そのまま冷凍することもできる。美容用具９の大きさは多種あり、それを納入する容器類もそれに伴い、また複数個を一度に保存・冷凍したり、それらをまとめて納入する容器類でも構わない。
【０００７】
使用に際しては、保持体６を袋状本体４に挿入し、袋状本体４に水または化粧水等の液体を含ませ、２時間以上冷凍し、数分間室温に放置し（洗顔前に冷凍庫より取り出し常温に放置しておくと便利）、手持棒７を手に持ち袋状本体４を洗顔後の清潔な肌に滑らせ、特に毛穴の開きが気になる部分や引き締めたい場所を念入りに滑らせる。解けてしまった後もそのままパッティングやふき取りに使用できる。使用後のコットンは軽く引き抜いて捨てる。また手持棒７を使用せずに袋状本体４のみでアイパックに利用することもできる。
【０００８】
尚、本美容用具を単体で冷凍することは、もとより、ケースを用
いて、ケ−ス内に納めて冷凍することも効果的である。この場合に
美容用具の形状に合わせた内部の形状を有するケ−スの利用により、
より効果的なものとなる。
【０００９】
【発明の効果】
手を冷やさずに、また手の温度により肌につける冷媒としての水、化粧水等の温度を上げずに、引き締めたい部分を効果的に、苦痛なく手軽で衛生的に冷却することができる。またコットンの消耗を最小限にとどめ、液体を冷凍することで常温の液体を塗布するよりも長い時間、肌上に塗布することができるため、よりよい浸透力が得られ、十分に保湿することができる。また、コットンが水分を程よく保持し水分が流れ落ちる心配もない。場所をとらず、携帯にも軽量で便利である。肌の上を滑らすだけで適度な力が加わりまた、水分が保持されているため肌をいためずにふき取りもできる。肌や毛穴の引き締めのほか、たるみの予防・改善、血行促進、新陳代謝増進、日焼け後のほてり鎮静にも効果がある。袋状本体表面の素材を肌にあてた時のなめらかな感触とコットンごと冷凍することにより刺激がなくまろやかな使用感が得られるもの。含ませる液体を自分で好きなように選べるという楽しみ、感触の気持ちよさによるストレス解消、リフレッシュ効果、夏場のクールダウンも期待できる。袋状本体の表面がマイクロファイバーを使用したものでは、汚れ落としの高い効果も得られ、美肌成分配合のものでは、水のみを使用した場合でも各々の美肌成分効果が得られるほか、化粧水等を使用した場合は、含ませる液との相乗効果も得られる。
【図面の簡単な説明】
【図１】本発明の一実施例を示す断面図である。
【図２】本発明の他の実施例を示す断面図である。
【図３】本発明の更に他の実施例を示す断面図である。
【符号の説明】
１    表面
２    裏面
３    綿
４    袋状本体
５    空隙部
６    保持体
７    手持棒
８    開口部
９    美容用具
【図１】
2005007018.tif 000003
【図２】
2005007018.tif 000004
【図３】
2005007018.tif 000005